(57)【要約】    【課題】  コイルばねの装着が容易で組立性の良い一方向クラッチの保持器を提供する。    【解決手段】  この一方向クラッチの保持器１では、バネガイド８は、ポケット６の一方の面６Ａに対して傾いた内径側のテーパ面８Ｂを有するので、矢印Ｗで示すように、コイルばね２１を、径方向の外方から斜めにバネガイド８の内径側のテーパ面８Ｂに沿ってバネガイド８に挿入し易くなる。一方、バネガイド８へのコイルばね２１の挿入後は、バネガイド８の略垂直な外径側の面８Ａと内径側のテーパ面８Ｂの根元の部分８Ｂ−１とでコイルばね２１をガタつかせることなく確実に拘束できる。【選択図】  図３
2005163929.tif 000002
【特許請求の範囲】
【請求項１】
噛み込み部材を保持するポケットと、
上記噛み込み部材を所定の方向に付勢するコイルばねの内周面を案内すると共に、上記ポケットの周方向の一方の面から突き出しているバネガイドとを有し、
上記バネガイドは、
上記一方の面に対して略垂直な外径側の面と、上記一方の面に対して傾いた内径側のテーパ面とを有することを特徴とする一方向クラッチの保持器。
【請求項２】
噛み込み部材を保持するポケットと、
上記噛み込み部材を所定の方向に付勢するコイルばねの内周面を案内すると共に、上記ポケットの周方向の一方の面から突き出しているバネガイドとを有し、
上記バネガイドは、
先端側部分の径方向寸法が根元側部分の径方向寸法よりも小さく、かつ、上記先端側部分の軸方向寸法が上記根元側部分の軸方向寸法よりも大きいことを特徴とする一方向クラッチの保持器。
【発明の詳細な説明】
【技術分野】
【０００１】
この発明は、一方向クラッチの保持器に関する。
【背景技術】
【０００２】
一方向クラッチを組み立てる際には、保持器に、係合ころや係合ころを付勢するばね等を組み込むが、保持器の周方向に複数配置されたポケットに上記ばねを組み込むのに手間が掛かっていた。例えば、図６に模式的に示すように、保持器１００の柱１０１から突き出した円柱形状の突起１０２に対して、コイルばね１０３を矢印１０５で示すように径方向外方から斜めに挿入するため、突起１０２にコイルばね１０３を装着しにくく、保持器１００のポケット１０４へのコイルばね１０３の装着に手間が掛かっていた。
【特許文献１】特開２００１−１４０９４３号公報
【発明の開示】
【発明が解決しようとする課題】
【０００３】
そこで、この発明の目的は、コイルばねの装着が容易で組立性の良い一方向クラッチの保持器を提供することにある。
【課題を解決するための手段】
【０００４】
上記目的を達成するため、請求項１の一方向クラッチの保持器は、噛み込み部材を保持するポケットと、
上記噛み込み部材を所定の方向に付勢するコイルばねの内周面を案内すると共に、上記ポケットの周方向の一方の面から突き出しているバネガイドとを有し、
上記バネガイドは、
上記一方の面に対して略垂直な外径側の面と、上記一方の面に対して傾いた内径側のテーパ面とを有することを特徴としている。
【０００５】
この請求項１の発明の一方向クラッチの保持器では、上記バネガイドが上記ポケットの周方向の一方の面に対して傾いた内径側のテーパ面を有しているから、上記コイルばねを径方向の外方から斜めに、上記バネガイドの内径側のテーパ面に沿って上記バネガイドに挿入し易くなる。一方、上記バネガイドへの上記コイルばねの挿入後は、上記バネガイドの略垂直な外径側の面と上記内径側のテーパ面の根元の部分とで上記コイルばねをガタつかせることなく確実に拘束できる。
【０００６】
また、請求項２の発明は、噛み込み部材を保持するポケットと、
上記噛み込み部材を所定の方向に付勢するコイルばねの内周面を案内すると共に、上記ポケットの周方向の一方の面から突き出しているバネガイドとを有し、
上記バネガイドは、
先端側部分の径方向寸法が根元側部分の径方向寸法よりも小さく、かつ、上記先端側部分の軸方向寸法が上記根元側部分の軸方向寸法よりも大きいことを特徴としている。
【０００７】
この請求項２の発明の一方向クラッチの保持器では、上記バネガイドの先端側部分の径方向寸法が根元側部分の径方向寸法よりも小さいので、上記バネガイドの小径の先端側部分から、径方向の外方から周方向の一方に向って、上記コイルばねを上記バネガイドに斜めに挿入し易くなる。一方、上記バネガイドへの上記コイルばねの挿入後は、上記根元側部分でコイルばねを径方向に拘束し、かつ、上記先端側部分でコイルばねを軸方向に拘束して、上記コイルばねをガタつかせることなく確実に拘束できる。
【発明の効果】
【０００８】
この発明の一方向クラッチの保持器では、ポケットの周方向の一方の面から突き出しており、噛み込み部材を所定の方向に付勢するコイルばねの内周面を案内するバネガイドは、上記一方の面に対して略垂直な外径側の面と、上記一方の面に対して傾いた内径側のテーパ面とを有する。
【０００９】
したがって、この発明の一方向クラッチの保持器では、コイルばねを、径方向の外方から斜めに、バネガイドの内径側のテーパ面に沿ってバネガイドに挿入し易くなる。一方、上記バネガイドへの上記コイルばねの挿入後は、上記バネガイドの略垂直な外径側の面と上記内径側のテーパ面の根元の部分とで上記コイルばねをガタつかせることなく確実に拘束できる。
【発明を実施するための最良の形態】
【００１０】
以下、この発明を図示の実施の形態に基いて詳細に説明する。
【００１１】
(第１の実施の形態)
図１(Ｃ)に、この発明の第１実施形態としての一方向クラッチの保持器１を軸方向の一方から他方に見た様子を示し、図１(Ａ)に上記保持器１を軸方向の他方から一方に見た様子を示す。また、図１(Ｂ)に、図１(Ａ)のＡ−Ａ’断面を示す。
【００１２】
図１(Ｂ)に示すように、この保持器１は、一方の軸方向端部２と他方の軸方向端部３を有し、この軸方向端部２と軸方向端部３との間に軸方向に延びる１０本の柱部５,５…が、周方向に所定の間隔を隔てて形成されている。隣接する柱部５と柱部５との間がポケット６になっており、保持器１はポケット６を１０個有する。また、この柱部５は、軸方向の略中央で周方向に突出したバネガイド８を有する。なお、この実施形態では、保持器１を樹脂製としたが、金属製またはセラミック製であってもよい。
【００１３】
図１(Ｃ)に示すように、上記一方の軸方向端部２は、略正１０角柱形状の内周面２Ａを有している。また、この軸方向端部２は、円筒形の外周面２Ｂを有している。また、この軸方向端部２は、径方向内方かつ軸方向内方に窪んだ外周縁部７を有する。また、この軸方向端部２は、上記バネガイド８に対応する周方向位置に１０個の台形状穴部１０を有している。この台形状穴部１０は、軸方向端部２の軸方向の外方の端面２Ｃに形成されている。また、図１(Ｂ)に示すように、この軸方向端部２の端面２Ｃは、内周側縁部が軸方向外方に向って径が大きくなるテーパ面１１になっている。
【００１４】
また、図１(Ａ)に示すように、上記他方の軸方向端部３は、外周面３Ａが略正１０角柱形状であり、この正１０角柱形状のほぼ頂点の部分で僅かに湾曲した頂部１３の位置が、噛み込み部材としての係合ころ２０の配置位置になっている。また、この軸方向端部３の外周面３Ａの外径は、軸方向端部２の外周面２Ｂの外径よりも小さい。また、この軸方向端部３の内周面３Ｂは円筒形であり、上記軸方向端部２の内周面２Ａよりも小径である。
【００１５】
図３に、図１(Ｃ)に示す保持器１において、一方の軸方向端部２を取り去って周方向の一部を拡大した様子を模式的に示す。バネガイド８は、ポケット６の周方向の一方の面６Ａから周方向の他方に向って突き出している。このポケット６の面６Ａは柱５の周方向の一方の面５Ａからなる。
【００１６】
上記バネガイド８は、上記ポケット６の一方の面６Ａに対して略垂直な外径側の面８Ａと上記一方の面６Ａに対して傾いた内径側のテーパ面８Ｂとを有する。したがって、バネガイド５は、周方向に突き出した方向に向かって先細形状である。また、この第１実施形態では、上記バネガイド８の内径側のテーパ面８Ｂは、このテーパ面８Ｂよりも所定寸法Ｄ１だけ径方向内方の点Ｐ１とポケット６の周方向の他方の面６Ｂの最も外径側の点Ｐ２とを結ぶ線分Ｌ１と略平行である。また、この第１実施形態では、上記所定寸法Ｄ１を、このバネガイド８に挿入するコイルばね２１の線径Ｄ２と略等しくした。
【００１７】
また、このバネガイド８は、図４に径方向外方から内方に見た様子を示すように、先端部８Ｃの軸方向の両端が面取りされて、外径側の面８Ａは先細になっている。
【００１８】
上記構成の保持器１では、上記バネガイド８は、上記ポケット６の一方の面６Ａに対して傾いた内径側のテーパ面８Ｂを有するので、まず、図３に矢印Ｗで示すように、コイルばね２１を径方向の外方から斜めにバネガイド８の内径側のテーパ面８Ｂに沿って案内してバネガイド８に挿入し易くなる。一方、バネガイド８へのコイルばね２１の挿入後は、バネガイド８の略垂直な外径側の面８Ａと内径側のテーパ面８Ｂの根元の部分８Ｂ−１とでコイルばね２１をガタつかせることなく拘束できる。
【００１９】
また、この第１実施形態では、上記バネガイド８の内径側のテーパ面８Ｂは、テーパ面８Ｂよりも径方向内方の点Ｐ１とポケット６の周方向の他方の面６Ｂの最も外径側の点Ｐ２とを結ぶ線分Ｌ１と略平行であり、かつ、コイルばね２１の線径Ｄ２と略等しい所定寸法Ｄ１だけ、上記線分Ｌ１よりも径方向外方に位置している。これにより、バネガイド８のテーパ面８Ｂが、コイルばね２１をバネガイド８へ容易に挿入できる案内面となるように、バネガイド８のテーパ面８Ｂの適切な傾斜角度を設定できる上に、バネガイド８の略垂直な外径側の面８Ａと内径側のテーパ面８Ｂの根元の部分８Ｂ−１とがコイルばね２１の内周面２１Ａに係合,密接し、コイルばね２１をより確実に拘束できる。
【００２０】
こうして、図２に示すように、バネガイド８に内周面２１Ａが係合するようにコイルばね２１が装着された保持器１は、ポケット６の上記コイルばね２１に隣接する個所に円筒係合ころ２０が挿入される。
【００２１】
上記保持器１にコイルばね２１と円筒係合ころ２０が組み込まれた一方向クラッチ３０は、内輪３１が外周に有する略正１０角柱形状のカム面３１Ａに、保持器１の一方の軸方向端部２のテーパ面１１を沿わせながら、軸方向端部２の略正１０角柱形状の内周面２Ａを、軸方向の一方から挿入し嵌合させる。同時に、軸方向端部２の円筒形の外周面２Ｂおよび軸方向端部３の略正１０角柱形状の外周面３Ａは、外輪３２の円筒形状の内周面３２Ａに挿入される。
【００２２】
こうして、外輪３２と内輪３１との間に組み付けられた一方向クラッチ３０は、内輪３１に対して矢印Ｂの反時計回り方向への外輪３２の回転を許す一方、内輪３１に対して矢印Ｃの時計回りの方向へ外輪３２が回転しようとすると、外輪３２の内周面３２Ａと内輪３１のカム面３１Ａとの間における円筒係合ころ２０のくさび作用でもって、内輪３１に対して外輪３２が相対回転不可となる。
【００２３】
尚、上記第１実施形態では、内輪３１のカム面３１Ａが略正１０角柱形状である場合に適合する保持器１を説明し、内輪３１の外周の略正１０角柱形状のカム面３１Ａの形状に合わせて、一方の軸方向端部２の内周面２Ａを、略正１０角柱形状にしたが、内輪のカム面の形状は、略正１２角柱形状、略正８角柱形状あるいはそれ以外の正多角柱形状、さらには正多角柱形状以外の多角柱形状であっても、本発明の保持器を適用可能なことは勿論である。また、他方の軸方向端部３の外周面３Ａは、上記内輪のカム面に対応した多角柱形状の一方の軸方向端部２の内周面２Ａの角数に応じた略多角柱形状とすればよい。
【００２４】
(第２の実施の形態)
次に、図５(Ａ)〜図５(Ｃ)に、この発明の一方向クラッチの保持器の第２実施形態のバネガイド５１を示す。図５(Ａ)はバネガイド５１を径方向外方から径方向内方に見た様子を示し、図５(Ｂ)はバネガイド５１を軸方向の他方から一方に見た様子を示し、図５(Ｃ)はバネガイド５１を周方向の一方から他方に見た様子を示す。この第２実施形態の保持器は、前述の第１実施形態の保持器１のバネガイド８とは形状が異なるバネガイド５１を有する点だけが前述の第１実施形態と異なる。また、図５(Ａ)〜図５(Ｃ)において、矢印Ｘは径方向を示し、矢印Ｙは軸方向を示し、矢印Ｚは周方向を示す。
【００２５】
図５(Ａ)に示すように、このバネガイド５１は、ポケット６の周方向の一方の面６Ａをなす柱５の面５Ａから周方向の他方に向って突き出しており、コイルばね５０が挿入され、コイルばね５０の内周面５０Ａに係合する。このコイルばね５０は上記噛み込み部材である円筒係合ころ２０を周方向の他方に向って付勢する。このコイルばね５０は、図５(Ｃ)に示すように、長円形状の螺旋形に巻かれており、径方向の短軸Ｄ１０と軸方向の長軸Ｄ２０を有する。
【００２６】
上記バネガイド５１は、図５(Ａ)に示すように、先端側部分５２の軸方向寸法Ｄ１１が根元側部分５３の軸方向寸法Ｄ１２よりも大きく、図５(Ｂ)に示すように、先端側部分５２の径方向寸法Ｄ１３が根元側部分５３の径方向寸法Ｄ１４よりも小さい。この根元側部分５３と先端側部分５２の間は中間部分５５になっており、この中間部分５５は根元側部分５３から先端側部分５２に向って軸方向寸法が増大しており径方向寸法が減少している。なお、この実施形態では、根元側部分５３は、コイルばね５０をなす線材の半径と略等しい曲率半径で湾曲した湾曲端部５３Ａを有し、この湾曲端部５３Ａでもって、柱５の面５Ａに連なっている。
【００２７】
図５(Ｂ)に示すように、バネガイド５１は、柱５の面５Ａに対して略一定の傾斜角で傾斜している径方向外側テーパ面５１Ａと柱５の面５Ａに対して略一定の傾斜角で傾斜している径方向内側テーパ面５１Ｂを有している。したがって、バネガイド５１は、周方向に向って径方向寸法が小さくなっている先細の軸方向側面５１Ｃを有している。また、この先細の軸方向側面５１Ｃの反対側の軸方向側面５１Ｄも上記軸方向側面５１Ｃと同様の周方向に向って径方向寸法が小さくなっている先細の形状になっている。
【００２８】
また、図５(Ａ)に示すように、この径方向外側テーパ面５１Ａは、周方向に向かって先き太の先太部５１Ａ−１と周方向に向かって先き細の先細部５１Ａ−２とを有する。また、図５(Ｃ)に示すように、この径方向外側テーパ面５１Ａの反対側の径方向内側テーパ面５１Ｂも周方向に向かって先き太の先太部５１Ｂ−１と周方向に向かって先き細の先細部５１Ｂ−２とを有する。上記先細部５１Ａ−２および先細部５１Ｂ−２は上記先端側部分５２に含まれ、上記先太部５１Ａ−１および先太部５１Ｂ−１は上記中間部分５５および根元側部分５３に含まれる。
【００２９】
また、図５(Ｃ)に示すように、上記バネガイド５１の上記先端側部分５２は、軸方向側面５１Ｃの側面先端部５１Ｃ−１と軸方向側面５１Ｄの側面先端部５１Ｄ−１を有し、この側面先端部５１Ｃ−１および５１Ｄ−１は、周方向に向かって径方向寸法が小さくなっている。
【００３０】
この第２実施形態の保持器によれば、図５(Ｂ)に示すように、上記バネガイド５１の先端側部分５２の径方向寸法Ｄ１３が根元側部分５３の径方向寸法Ｄ１４よりも小さい。したがって、バネガイド５１の小径の先端側部分５２から、径方向の外方から周方向の一方に向って、径方向外側テーパ面５１Ａと径方向内側テーパ面５１Ｂとで、コイルばね５０の内周面５０Ａを案内しながら、上記コイルばね５０を上記バネガイド５１に斜めに挿入し易くなる。一方、上記バネガイド５１への上記コイルばね５０の挿入後は、図５(Ｂ)に示すように、上記根元側部分５３でコイルばね５０を径方向に拘束し、かつ、図５(Ａ)に示すように、上記先端側部分５２でコイルばね５０を軸方向に拘束して、上記コイルばね５０をガタつかせることなく確実に拘束できる。また、根元側部分５３の湾曲端部５３Ａはコイルばね５０の根元部分５０Ｂに係合,密接するから、コイルばね５０をより確実に径方向に拘束できる。
【００３１】
尚、この第２実施形態では、長円形状の螺旋形に巻かれたコイルばね５０に対応したバネガイド５１を備えたが、真円形状もしくは楕円形状の螺旋形に巻かれたコイルばねにも本発明を適用可能なことは勿論である。また、この第２実施形態では、図５(Ａ)に示すように、バネガイド５１は、先端側部分５２のうちで根元側部分５３に最も近い部分５２Ａが最大の軸方向寸法Ｄ１１を有したが、先端側部分５２の最大の軸方向寸法を有する部分は根元側部分５３から最も遠い部分であってもよく、上記最も遠い部分と最も近い部分５２Ａとの中間の部分であってもよい。また、上記第１,第２実施形態では、内輪３１が外周に有する多角形状のカム面３１Ａに対応した保持器１としたが、この発明の保持器は外周面が円筒形状の内輪に嵌合される場合にも適用できる。
【図面の簡単な説明】
【００３２】
【図１】図１(Ａ)はこの発明の一方向クラッチの保持器の第１実施形態を軸方向の他方から一方に見た様子を示す側面図であり、図１(Ｂ)は図１(Ａ)のＡ−Ａ’断面図であり、図１(Ｃ)は上記第１実施形態を軸方向の一方から他方に見た様子を示す側面図である。
【図２】上記第１実施形態の保持器を含む一方向クラッチを内輪と外輪の間に組み込んだ様子を示す半断面図である。
【図３】上記第１実施形態の保持器を軸方向の一方から他方に見た様子を示す要部拡大図である。
【図４】上記第１実施形態の保持器のポケットを径方向の外方から内方に見た様子を示す要部拡大図である。
【図５】図５(Ａ)はこの発明の一方向クラッチの保持器の第２実施形態のバネガイド５１を径方向外方から径方向内方に見た様子を示し、図５(Ｂ)はバネガイド５１を軸方向の一方から他方に見た様子を示し、図５(Ｃ)はバネガイド５１を周方向の他方から一方に見た様子を示す。
【図６】従来の一方向クラッチの保持器の要部を示す図である。
【符号の説明】
【００３３】
１  保持器
２  一方の軸方向端部
２Ａ  内周面
２Ｂ  外周面
３  他方の軸方向端部
３Ａ  外周面
３Ｂ  内周面
５  柱部
５Ａ  一方の面
６  ポケット
６Ａ  一方の面
６Ｂ  他方の面
８,５１  バネガイド
８Ａ  外径側の面
８Ｂ  内径側のテーパ面
２０  円筒係合ころ
２１,５０  コイルばね
２１Ａ  内周面
３０  一方向クラッチ
３１  内輪
３１Ａ  カム面
３２  外輪
３２Ａ  内周面
５２  先端側部分
５３  根元側部分
Ｄ１１  先端側部分の軸方向寸法
Ｄ１２  根元側部分の軸方向寸法
Ｄ１３  先端側部分の径方向寸法
Ｄ１４  根元側部分の径方向寸法
【図１】
2005163929.tif 000003
【図２】
2005163929.tif 000004
【図３】
2005163929.tif 000005
【図４】
2005163929.tif 000006
【図５】
2005163929.tif 000007
【図６】
2005163929.tif 000008